(57)【要約】
　【課題】　外部面に位置しない浴室であっても、自然に囲まれた雰囲気を味わうことで高いヒーリング効果を得ることができる浴室を提供すること。
　【解決手段】　浴室１の廻りに植物を配置する空間であるヒーリングコート３を設置する。浴室１とヒーリングコート３が接する面には開閉可能な透明なガラス板を設置し、浴室１からヒーリングコート３に配置された植物を鑑賞することを可能とする。ヒーリングコート３とスタジオ６の接する面には可動式パーテェーションを設置する。稼働式パーテェーション１２にてヒーリングコート３とスタジオ６をオープンスペースにすることで、スタジオ６からヒーリングコート３に配置された植物を観賞することができ、ヒーリングコート３とスタジオ６を完全に遮断することで、入浴時にスタジオ６から浴室１が見えることを防ぐことも、浴室１からの湿気がスタジオ６に入ってくることを防ぐこともできる。
【選択図】　図１
0003099182.tif 000002
【実用新案登録請求の範囲】
【請求項１】
　植物を配置する空間であるヒーリングコートと隣接し、
　このヒーリングコートと隣接する面に透明な仕切りを備えたことを特徴とする浴室。
【請求項２】
　前記透明な仕切りを開閉可能にしたことを特徴とする請求項１記載の浴室。
【請求項３】
　前記ヒーリングコートは浴室と隣接しない面に可動式のパーテェーションを備えたを特徴とする請求項１または請求項２記載の浴室。
【考案の詳細な説明】
【技術分野】
【０００１】
　本考案は浴室に関し、特に植物を配置する空間と隣接しているものに関する。
【背景技術】
【０００２】
　近年、浴室での入浴時におけるヒーリング効果が求められる傾向にある。この対策としての技術が下記の特許文献に開示されている。
【特許文献１】特開平１０−２９９２７４号公報
【０００３】
　特許文献１は、外部面に位置させ外部を臨む出窓を設けた浴室において、出窓の外方に温室を延設することにより、温室に植えられた植物を浴室内から鑑賞できるようにしたものである。
【考案の開示】
【考案が解決しようとする課題】
【０００４】
　しかし、マンション等の集合住宅においては、角部屋以外は浴室を外部面に位置させ外部を臨む出窓を設けることが設計上困難であり、また、出窓の外方に温室を延設する場所を確保することも設計上困難であるため、どうしても窓のない閉鎖された浴室での入浴となり、ヒーリング効果を得ることができなかった。
　また、浴室の廻りに植物を配置する空間を浴室以外の部屋からも共有できる様に確保した場合、入浴時以外にもヒーリング効果を得ることができるが、浴室から出る湿気が浴室以外の部屋に入ることを防いだり、浴室以外の部屋から浴室が見えることを防いだりする必要がある。
【０００５】
　そこで、本考案の第１の目的は、外部面に位置させ外部を臨む窓を設けることができない浴室であっても、露天風呂で入浴している様な自然に囲まれた雰囲気を味わうことで高いヒーリング効果を得ることができる浴室を提供することである。
【０００６】
　本考案の第２の目的は、浴室から出る湿気が浴室以外の部屋に入ることや、浴室以外の部屋から浴室が見えることを防ぐことができる浴室を提供するこことである。
【課題を解決するための手段】
【０００７】
　請求項１記載の考案は、植物を配置する空間であるヒーリングコートと隣接し、このヒーリングコートと隣接する面に透明な仕切りを備えることにより前記第１の目的を達成する。
【０００８】
　請求項２記載の考案は、請求項１記載の浴室において、前記透明な仕切りを開閉可能にしたことを特徴とする。
【０００９】
　請求項３記載の考案は、請求項１または請求項２記載の浴室において、前記ヒーリングコートは浴室と隣接しない面に可動式のパーテェーションを備えることにより前記第２の目的を達成する。
【考案の効果】
【００１０】
　請求項１記載の浴室によれば、浴室の廻りに植物を配置する空間であるヒーリングコートを設置することにより、浴室の閉鎖された空間を開放し、ヒーリングコートに配置された植物を観賞しながら入浴を楽しむことができるので、露天風呂で入浴している様な自然に囲まれた雰囲気を味わうことで高いヒーリング効果を得ることができる。
【００１１】
　請求項２記載の浴室によれば、透明な仕切りを開閉可能にしたことにより、透明な仕切りを閉じると浴室からの湿気がヒーリングコートに入ってしまうことを防ぐことができ、透明な仕切りを開くとヒーリングコートに配置された植物を入浴時により身近に感じることができる。
【００１２】
　請求項３記載の浴室によれば、ヒーリングコートに隣接する部屋とヒーリングコートとの間に可動式のパーテェーションを設置することにより、パーテェーションにてヒーリングコートに隣接する部屋とヒーリングコートを完全に遮断する場合は、浴室からの湿気が浴室以外の部屋に入ってくることを防ぐこともでき、また、浴室以外の部屋から浴室が見えることを防ぐこともできる。更に、パーテェーションにてヒーリングコートに隣接する部屋とヒーリングコートを遮断しない場合は、浴室以外の部屋からもヒーリングコートに配置された植物を観賞することで、入浴時以外にも高いヒーリング効果を得ることができる。
【考案を実施するための最良の形態】
【００１３】
　以下、本考案の好適な実施の形態について、図１から図４を参照して詳細に説明する。
【実施例１】
【００１４】
　図１は、第１の実施例に係わる浴室を有する集合住宅の見取り図である。この集合住宅は、浴室１、浴室１への入口となるパウダールーム２、浴室１廻りに設けたヒーリングコート３、玄関４、廊下５、スタジオ６、バルコニー７等から構成される。
【００１５】
　図２（ａ）は、第１の実施例に係わる浴室廻りの平面図、図２（ｂ）は、図２（ａ）に示した展開方向Ｂにおける展開図、図２（ｃ）は、図２（ａ）に示した位置Ａと位置Ａ’における断面図、図２（ｄ）は、図２（ａ）に示した展開方向Ｃにおける展開図である。浴室１は、バスタブ１０１、水栓１０２等が一体化されたユニットバスである。浴室１とそれを囲む壁面８の間に設けた空間であるヒーリングコート３には、植物が配置されている。浴室１とヒーリングコート３が接する面９には透明なガラス板を設置し、浴室１からヒーリングコート３に配置された植物を鑑賞することを可能とする。ヒーリングコート３は、浴室１の廻りにＬ字型に設けることにより、パウダールーム２から扉１０を開いて浴室１に入る際にも、バスタブ１０１にて入浴している際にも、透明なガラス板を通してヒーリングコート３に配置された植物を観賞することができる。透明なガラス板を開閉可能とし、透明なガラス板を開くことにより、ヒーリングコート３に配置された植物を入浴時により身近に感じることができる。透明なガラス板の開閉は、ヒーリングコート３に配置されている植物の種類に応じて行えばよい。例えば、湿気を嫌う植物ならば透明なガラス板を閉じ、ヒーリングコート３に配置されている植物が湿気に強い植物ならば透明なガラス板を開くなどの選択が可能である。
【００１６】
　ヒーリングコート３とスタジオ６との仕切りは、カウンター１１と可動式パーテェーション１２にて行う。カウンター１１は、明瞭で美しい木目を持つタモ集成ＣＬ仕上げにより美しい景観を保つことができる。また、稼働式パーテェーション１２は、ヒーリングコート３とスタジオ６を完全に遮断することも、ヒーリングコート３とスタジオ６をオープンスペースにすることもできる。稼働式パーテェーション１２にてヒーリングコート３とスタジオ６をオープンスペースにすることで、スタジオ６からヒーリングコート３に配置された植物を観賞することができ、ヒーリングコート３とスタジオ６を完全に遮断することで、入浴時にはスタジオ６からヒーリングコート３と透明なガラス板を介して浴室１が見えることを防ぐことも、浴室１からの湿気がスタジオ６に入ってくることを防ぐこともできる。
【実施例２】
【００１７】
　図３は、第２の実施例に係わる浴室を有する集合住宅の見取り図である。この集合住宅は、浴室１、浴室１への入口となるパウダールーム２、浴室１廻りに設けたヒーリングコート３、玄関４、廊下５、スタジオ６、バルコニー７等から構成される。
【００１８】
　図４（ａ）は、第２の実施例に係わる浴室廻りの平面図、図４（ｃ）は、図４（ａ）に示した展開方向Ｃにおける展開図、図４（ｂ）は、図４（ａ）に示した位置Ａと位置Ａ’における断面図である。
　ここで、第１の実施例と第２の実施例における相違点についてのみ説明を行う。第１の実施例では、ヒーリングコート３をスタジオ６の範囲内で浴室１の廻りにＬ字型に設けており、第２の実施例では、ヒーリングコート３を廊下５とスタジオ６にまたがった範囲で浴室１の１側面に設けている。そのため第１の実施例では、浴室１とスタジオ６からヒーリングコート３に配置された植物を観賞することができるのに対し、第２の実施例では、浴室１とスタジオ６に加え廊下５からもヒーリングコート３に配置された植物を観賞することができる。
【００１９】
　上記の通り浴室１の廻りにヒーリングコート３を設置することにより、ユニットバスの閉鎖された空間を開放し、ヒーリングコート３に配置された植物を観賞しながら浴室１での入浴を楽しむことができる。また、ヒーリングコート３に配置する植物に、ヒーリングコート３の下部に配置する草木や花以外にヒーリングコート３の上部から垂らす蔦などを加える演出や、ヒーリングコート３の上部や下部から淡い光を注ぐなどの演出を行うと、浴室１の照明を落とし、ヒーリングコート３から差し込む光の中で浴室１での入浴を楽しめるため、高いヒーリング効果を得ることができる。更に、浴室１のみならずスタジオ６や廊下５からもヒーリングコート３に配置された植物を観賞することができるので、入浴時以外にも高いヒーリング効果を得ることができる。
【００２０】
　なお、本考案に係わる浴室としてユニットバスを有する集合住宅を例に説明を行ったが、本考案の浴室はユニットバス以外の工法による浴室でもよく、本考案の浴室を有する住宅は集合住宅以外のものでもよい。
　また、浴室とヒーリングコートが接する面には透明なガラス板を設置しているが、透明なガラス板に加え可動式パーテェーションを設置し、浴室以外の部屋からヒーリングコートに配置された植物を観賞している際に、浴室が見えることを防ぐようにしてもよい。
【図面の簡単な説明】
【００２１】
【図１】第１の実施例に係わる浴室を有する集合住宅の見取り図である。
【図２】（ａ）は第１の実施例に係わる浴室廻りの平面図、（ｂ）は展開方向Ｂにおける展開図、（ｃ）は位置Ａと位置Ａ’における断面図、（ｄ）は展開方向Ｃにおける展開図である。
【図３】第２の実施例に係わる浴室を有する集合住宅の見取り図である。
【図４】（ａ）は第２の実施例に係わる浴室廻りの平面図、（ｂ）は位置Ａと位置Ａ’における断面図、（ｃ）は展開方向Ｃにおける展開図である。
【符号の説明】
【００２２】
１　　　浴室
２　　　パウダールーム
３　　　ヒーリングコート
４　　　玄関
５　　　廊下
６　　　スタジオ
７　　　バルコニー
８　　　浴室を囲む壁面
９　　　浴室とヒーリングコートが接する面
１０　　扉
１１　　カウンター
１２　　可動式パーテェーション
１０１　バスタブ
１０２　水栓
【図１】
0003099182.tif 000003
【図２】
0003099182.tif 000004
【図３】
0003099182.tif 000005
【図４】
0003099182.tif 000006